(57)【要約】【課題】水はけが良いと共に防水層のメンテナンスも行いやすい緑化器具を提供する。【解決手段】緑化器具１は、植物８が根付く緑化基盤２を備える。緑化器具１は、緑化基盤２を支持すると共に脚部４を有する、プラスティック製の基盤プレート３を備える。緑化器具１は、緑化基盤２と基盤プレート３との間に配置されると共に植物８の根よりも小さい微細孔が形成された防根透水シート６を備える。緑化基盤２の側面と基盤プレート３の側面とは略同一平面内に位置する。緑化器具１は、基盤プレート３の側面に取付けられると共に脚部４が通される貫通孔が形成された脚部受容体５を備える。緑化器具１は、緑化基盤２の側面及び基盤プレート３の側面に取付けられる防根プレート７を備える。【選択図】図１
2011004646.tif 000002
【特許請求の範囲】
【請求項１】
緑化基盤と、
該緑化基盤を支持すると共に脚部を有する基盤支持体と、
前記緑化基盤と前記基盤支持体との間に配置されると共に所定の微細孔が形成されたシートとを備え、
前記緑化基盤の側面と前記基盤支持体の側面とが略同一平面内に位置する
緑化器具。
【請求項２】
前記所定の微細孔は、植物の根が通過不能に構成される
請求項１に記載の緑化器具。
【請求項３】
前記基盤支持体の側面に取付けられると共に前記脚部が通される貫通孔が形成された脚部受容体を備える
請求項１または請求項２に記載の緑化器具。
【請求項４】
前記緑化基盤の側面及び前記基盤支持体の側面に取付けられる板状部材を備える
請求項１〜３のいずれか１つに記載の緑化器具。
【請求項５】
前記脚部を挿入可能な貫通孔が形成されると共に前記脚部より長い構成とされる高さ調整部材を備える
請求項１〜４のいずれか１つに記載の緑化器具。
【発明の詳細な説明】
【技術分野】
【０００１】
本発明は緑化器具に関する。詳しくは、ビル、戸建住宅などの建造物の屋上やベランダを緑化するための緑化器具に係るものである。
【背景技術】
【０００２】
建造物の屋上をセダムや天然芝などで被う屋上緑化には下記のような様々なメリットがある。
即ち、屋上緑化は、高い遮熱効果を生み出す。そして、高い遮熱効果によって、建物全体の温度上昇を抑え、夏季の冷房負担を低減し、さらに、冬季には、保温効果による暖房エネルギーの低減効果が得られる。
また、屋上緑化は、酸性雨や紫外線を遮り、屋根や屋上の防水層をダメージから保護する。また、屋上緑化は、急激な温度変化の抑制にも効果を発揮し、建築物の耐久性向上にも大きな成果を挙げる。
また、屋上緑化は、緑地特有の保水力を活用し、雨水の急激な流出を抑制でき、台風などの大雨による災害を緩和する効果が得られる。
また、屋上緑化は、屋上からの「騒音の低減」や「照り返しの防止」効果を発揮し、さらに、植物の緑による心理的癒し効果も大きい。
【０００３】
このように、屋上緑化は多くの効果を奏するので、近年、特にヒートアイランド現象の対策の１つとして、行政機関や民間会社などで屋上緑化が行われている。
また、例えば、特許文献１には、図５が示すような緑化構造物が記載されている。即ち、特許文献１には、建築構造物１０６の上に、遮水層１０５、その上に排水層１０４、その上に根域制限層１０３、その上に保水層１０２、そしてその上に、空隙に培土が充填された繊維成形体１０１が積層され、さらに固定金具１０７で固定された緑化構造物が記載されている。
【先行技術文献】
【特許文献】
【０００４】
【特許文献１】特開２００２−１２５４５２号公報
【発明の概要】
【発明が解決しようとする課題】
【０００５】
しかしながら、特許文献１の緑化構造物のように、建築構造物すなわち鉄筋コンクリート床盤の上に直接、各層を積層したものは、排水層を設けているものの、大雨のときなどは水はけが悪化する可能性がある。
また、特許文献１の緑化構造物のように、遮水層（防水層）や排水層の上に複数の層が積層していると、遮水層や排水層のメンテナンスを行う場合は、これらの上に積層した層を外さなければならず、メンテナンスを行うことが困難であると予想される。
【０００６】
本発明は、以上の点に鑑みて創案されたものであり、水はけが良いと共に防水層のメンテナンスも行いやすい緑化器具を提供することを目的とする。
【課題を解決するための手段】
【０００７】
上記の目的を達成するために、本発明の緑化器具は、緑化基盤と、該緑化基盤を支持すると共に脚部を有する基盤支持体と、前記緑化基盤と前記基盤支持体との間に配置されると共に所定の微細孔が形成されたシートとを備え、前記緑化基盤の側面と前記基盤支持体の側面とが略同一平面内に位置する。
【０００８】
ここで、緑化基盤を支持すると共に脚部を有する基盤支持体によって、緑化基盤を浮かせて配置することができると共に緑化器具を移動させやすい。
また、緑化基盤の側面と基盤支持体の側面とが略同一平面内に位置することによって、例えば複数の緑化器具をビルの屋上に敷き込むときに、隣接する緑化器具同士の間に隙間ができにくい。
【０００９】
また、本発明の緑化器具において、所定の微細孔は、植物の根が通過不能に構成される場合、微細孔を通って水は排出できるが、植物の根は微細孔を通って外部へ伸びることができないので、ビルの屋上に設けられた防水層などへの植物の根による悪影響を抑制できる。
【００１０】
さらに、本発明の緑化器具は、基盤支持体の側面に取付けられると共に脚部が通される貫通孔が形成された脚部受容体を備える場合、緑化器具同士を連結してビルの屋上に配置したり、緑化器具同士を分離して撤去したりしやすく、緑化器具の敷き込み工事の人出を軽減できる。
【００１１】
また、本発明の緑化器具は、緑化基盤の側面及び基盤支持体の側面に取付けられる板状部材を備える場合、緑化基盤の側面及び基盤支持体の側面から植物の根が外部へ伸びることができないので、ビルの屋上に設けられた防水層などへの植物の根による悪影響を抑制できる。
【００１２】
また、本発明の緑化器具は、脚部を挿入可能な貫通孔が形成されると共に脚部より長い構成とされる高さ調整部材を備える場合、例えば、ビルの屋上に段差があっても、緑化器具の上面を略同一平面内に位置させることができる。
【発明の効果】
【００１３】
本発明に係る緑化器具によって、水はけが良いと共に防水層のメンテナンスも行いやすい。
【図面の簡単な説明】
【００１４】
【図１】本発明の緑化器具の一例を示す概略図である。
【図２】本発明の緑化器具を構成する基盤プレートの一例を示す概略平面図（ａ）と概略側面図（ｂ）である。
【図３】複数の基盤プレートを連結した状態の一例を示す概略平面図である。
【図４】高さ調整部材の装着の様子を示す概略図である。
【図５】従来の緑化構造物を示す概略図である。
【発明を実施するための形態】
【００１５】
以下、本発明の実施の形態について図面を参照しながら説明し、本発明の理解に供する。
図１は、本発明の緑化器具の一例を示す概略図である。本発明の緑化器具１は、植物８が根付く緑化基盤２を備える。また、緑化基盤２として、例えば特許第３８５８０７９号公報に記載の軽量シラス基盤を用いることができる。
また、緑化器具１は、緑化基盤２を支持すると共に脚部４を有する、プラスティック製の基盤プレート（基盤支持体の一例である。）３を備える。
さらに、緑化器具１は、緑化基盤２と基盤プレート３との間に配置されると共に植物８の根よりも小さい微細孔（図示せず。）が形成された防根透水シート６を備える。なお、防根透水シート６に形成された微細孔（図示せず。）は、植物８の根よりも小さいが、植物８の根が通過しない大きさであれば充分であり、必ずしも微細孔の大きさが制限されるものではない。
また、緑化基盤２の側面と基盤プレート３の側面とは略同一平面内に位置する。
また、緑化器具１は、基盤プレート３の側面に取付けられると共に脚部４が通される貫通孔（図示せず。）が形成された脚部受容体５を備える。
また、緑化器具１は、緑化基盤２の側面及び基盤プレート３の側面に取付けられる防根プレート（板状部材の一例である。）７を備える。
また、緑化基盤２の上に、土壌を敷くことも可能である。
【００１６】
ここで、本発明の緑化器具が、緑化基盤と、緑化基盤を支持すると共に脚部を有する基盤支持体と、緑化基盤と基盤支持体との間に配置されると共に所定の微細孔が形成されたシートとを備え、緑化基盤の側面と基盤支持体の側面とが略同一平面内に位置するのであれば、必ずしも緑化基盤の側面及び基盤プレートの側面に取付けられる防根プレートを備えていなくてもよい。しかし、緑化器具が、緑化基盤の側面及び基盤プレートの側面に取付けられる防根プレートを備えていれば、緑化基盤の側面及び基盤プレートの側面から植物の根が外部へ伸びることができないので、ビルの屋上に設けられた防水層などへの悪影響を抑制でき、好ましい。
【００１７】
また、本発明の緑化器具が、緑化基盤と、緑化基盤を支持すると共に脚部を有する基盤支持体と、緑化基盤と基盤支持体との間に配置されると共に所定の微細孔が形成されたシートとを備え、緑化基盤の側面と基盤支持体の側面とが略同一平面内に位置するのであれば、必ずしも基盤プレートの側面に取付けられると共に脚部が通される貫通孔が形成された脚部受容体を備えなくてもよい。しかし、緑化器具が、基盤プレートの側面に取付けられると共に脚部が通される貫通孔が形成された脚部受容体を備えていれば、緑化器具同士を連結してビルの屋上に配置したり、緑化器具同士を分離して撤去したりしやすく、緑化器具の敷き込み工事の人出を軽減できるので好ましい。
【００１８】
図２は、本発明の緑化器具を構成する基盤プレートの一例を示す概略平面図（ａ）と概略側面図（ｂ）である。
図２（ａ）に示されるように、基盤プレート３は、縦３００ｍｍ×横３００ｍｍの正方形の外側フレーム３Ａと、外側フレーム３Ａの内側に格子状に配置されたり対角線上に配置されたりする板状の内側フレーム３Ｂとで構成されている。
また、図２（ａ）及び図２（ｂ）に示されるように、脚部４が通される貫通孔５Ａが形成された脚部受容体５が、基盤プレート３の側面すなわち外側フレーム３Ａの外側面に取付けられている。
また、外側フレーム３Ａの上面と内側フレーム３Ｂの上面は、同一平面内に位置していない。すなわち、内側フレーム３Ｂの上面は、外側フレーム３Ａの上面よりも低い位置にあり、その結果、基盤プレート３に凹部領域が形成され、緑化基盤２の一部が凹部領域に収まる。
【００１９】
図３は、複数の基盤プレートを連結した状態の一例を示す概略平面図である。図３に示されるように、一方の基盤プレート３の側面に取付けられた脚部受容体５に形成された貫通孔５Ａに、他方の基盤プレート３の脚部４が通されて、基盤プレート同士が連結し、縦６００ｍｍ×横６００ｍｍの緑化器具となる。
なお、図２に示される大きさが、一般家庭のベランダ用の大きさであり、図３に示される大きさが、ビルの屋上用の大きさである。
【００２０】
図４は、高さ調整部材の装着の様子を示す概略図である。図４に示されるように、脚部４より長い構成とされた円筒形の第１の高さ調整部材９に形成された貫通孔９Ａに一方から脚部４を挿入する。さらに、他方から、円柱形の第２の高さ調整部材１０の上面に取付けられた円柱形の凸部１０Ａを貫通孔９Ａに挿入する。
ここで、図４から判るように、第１の高さ調整部材９の直径と、第２の高さ調整部材１０の直径は略同じであり、凸部１０Ａの直径は、第２の高さ調整部材１０の直径よりも小さい。
【００２１】
以上のように、本発明の緑化器具は、緑化基盤を支持すると共に脚部を有する基盤プレートを備えているので、緑化基盤を浮かせて配置することができると共に緑化器具を移動させやすい。よって、水はけが良いと共に緑化器具を移動させて防水層のメンテナンスも行いやすい。
【００２２】
また、基盤プレートの側面には、脚部が通される貫通孔が形成された脚部受容体が取付けられているので、一方の基盤プレートの側面に取付けられた脚部受容体に形成された貫通孔に、他方の基盤プレートの脚部が通されて、基盤プレート同士を連結したり、分離したりしやすい。よって、緑化器具の敷き込み工事の人出を軽減できる。
また、緑化基盤の側面と基盤プレートの側面とは略同一平面内に位置するので、基盤プレート同士を連結して複数の緑化器具を敷き込むときに、隣接する緑化器具同士の間に隙間ができにくい。
【符号の説明】
【００２３】
１    緑化器具
２    緑化基盤
３    基盤プレート
３Ａ  外側フレーム
３Ｂ  内側フレーム
４    脚部
５    脚部受容体
５Ａ  貫通孔
６    防根透水シート
７    防根プレート
８    植物
９    第１の高さ調整部材
９Ａ  貫通孔
１０    第２の高さ調整部材
１０Ａ  凸部
【図１】
2011004646.tif 000003
【図２】
2011004646.tif 000004
【図３】
2011004646.tif 000005
【図４】
2011004646.tif 000006
【図５】
2011004646.tif 000007